(57)【要約】      （修正有）【課題】光学物品が汚損および破損するおそれが少なく、誤作業があった場合でも容易に認知することができる光学物品の梱包容器を提供する。【解決手段】角柱状の光学物品Ｐの一面に当接するトレイ１０と、前記トレイ１０を覆う平面矩形状の蓋２０と、を備えた前記光学物品Ｐを複数収納する光学物品Ｐの梱包容器１であって、前記トレイ１０は、前記光学物品Ｐの各側面にそれぞれ対向する保持部材を備え、これらの保持部材は、前記トレイ１０から離れる方向に向かって寸法が小さくなるテーパー状に形成されていることを特徴とする光学物品Ｐの梱包容器１。【選択図】図１
2010215254.tif 000002
【特許請求の範囲】
【請求項１】
角柱状の光学物品の一面に当接するトレイを備え、前記光学物品を複数収納する光学物品の梱包容器であって、
前記トレイは、前記光学物品の各側面にそれぞれ対向する保持部材を備え、
これらの保持部材は、前記トレイから離れる方向に向かって寸法が小さくなるテーパー状に形成されていることを特徴とする光学物品の梱包容器。
【請求項２】
請求項１に記載の光学物品の梱包容器において、
前記保持部材が、平面視で楕円形に形成されていることを特徴とする光学物品の梱包容器。
【請求項３】
請求項１または請求項２に記載の光学物品の梱包容器において、
前記保持部材は、中空に形成されていることを特徴とする光学物品の梱包容器。
【請求項４】
請求項２または請求項３に記載の光学物品の梱包容器において、
前記トレイの外側線に平行な２つの方向に沿って設けられるそれぞれの保持部材が、異なる楕円率に形成されていることを特徴とする光学物品の梱包容器。
【請求項５】
請求項２から請求項４のいずれかに記載の光学物品の梱包容器において、
前記トレイの外側線に平行な２つの方向に沿って設けられるそれぞれの前記保持部材が、異なる高さに形成されていることを特徴とする光学物品の梱包容器。
【発明の詳細な説明】
【技術分野】
【０００１】
本発明は、光学物品の梱包容器に関する。
【背景技術】
【０００２】
従来、角柱状のプリズム等の光学物品を搬送する際に、光学物品を収納するための梱包容器が用いられている。具体的には、光学物品を収納できるような凹部を有する平面矩形状のトレイと、このトレイを覆うことで光学物品を梱包する平面矩形状の蓋と、を備えた光学物品の梱包容器が用いられている。
【０００３】
梱包容器の従来例として、例えば、梱包容器を開梱して角柱状のプリズムを取り出す際に、プリズムが梱包容器から脱落するのを防止するためにダンパーを設けたもの（特許文献１参照）や、梱包容器が変形しないようにトレイと蓋とにリブを設けたもの（特許文献２参照）や、梱包容器からプリズムを取り出しやすくするために凹部の深さを浅くしたもの（特許文献３参照）などが知られている。
【０００４】
これら梱包容器は、いずれも平面矩形状のトレイに複数のプリズムを収納する凹部が形成されており、この凹部側壁に角柱状のプリズムの４つの側面が当接することで保持固定されている。また、プリズムを取り出す際には、プリズムと凹部との間にピンセット等を挿入し、プリズムの側面を挟持して取り出している。
【先行技術文献】
【特許文献】
【０００５】
【特許文献１】特開２００７−２１７０２６号公報
【特許文献２】特開２００７−２１７０２７号公報
【特許文献３】特開２００８−１１４８７６号公報
【発明の概要】
【発明が解決しようとする課題】
【０００６】
しかしながら、特許文献１から特許文献３では、光学物品を収納する収納部が凹状に形成されているため、容器を事前に洗浄する際、洗浄液が当該収納部に滞留するため、水切れが悪く、容器の乾燥に時間を要してしまうという問題が挙げられる。
また、特許文献１および特許文献２では、プリズムの側面が収納部の側面に当接しているため、プリズムの側面が汚損するおそれがある。
また、特許文献３では、プリズムの角部が収納部と当接するため、ピンセットで取り出す際、プリズムの側面を挟持する必要がある。このため、プリズムの側面がピンセットで汚損するおそれがある。
さらに、特許文献３において、角柱状のプリズムは、その角部が収容部の側壁に当接することで収納固定されている。このため、角部が側壁を削ってしまう、あるいは、側壁が角部を削ってしまうおそれがあり、プリズムまたは容器が破損してしまうという問題が挙げられる。
【０００７】
本発明の目的は、光学物品が汚損および破損するおそれを少なくすることができる光学物品の梱包容器を提供することにある。
【課題を解決するための手段】
【０００８】
［適用例１］
本適用例における光学物品の梱包容器は、角柱状の光学物品の一面に当接するトレイを備え、前記光学物品を複数収納する光学物品の梱包容器であって、前記トレイは、前記光学物品の各側面にそれぞれ対向する保持部材を備え、これらの保持部材は、前記トレイから離れる方向に向かって寸法が小さくなるテーパー状に形成されていることを特徴とする。
【０００９】
この構成の本適用例では、容器は、トレイに設けられ、光学物品の各側面にそれぞれ対向するテーパー状の保持部材を備えているので、光学物品の角部に保持部材が当接することがない。
このため、光学物品を収納する際、角部が側壁を削ってしまう、あるいは、側壁が角部を削ってしまうおそれをなくすことができる。
また、光学物品の側面を保持部材の間に沿わせるだけで収納することができるので、光学物品の角部と保持部材との位置関係を厳密に併せる必要がなく、収納作業を容易なものとすることができる。
【００１０】
さらに、光学物品の角部が保持部材と当接していないので、収納された光学物品をピンセット等により取り出す際、光学物品の角部を挟持することができる。
このため、光学物品の平面部をピンセットで挟持することがなく、光学物品の汚損を防止することができる。
【００１１】
また、保持部材がトレイから離れる方向に向かって寸法が小さくなるテーパー状に形成されている。
このため、角柱状の光学物品は、トレイ近傍においては、保持部材と当接し、保持固定されるが、トレイから離れた箇所においては、保持部材と当接しない。
つまり、光学物品は、容器と当接する箇所およびトレイ近傍において保持部材と当接する箇所以外は、いずれにも当接することがない。
よって、僅かな当接箇所だけで光学物品を保持固定することができ、光学物品の汚損を少なくすることができる。
【００１２】
さらに、当接箇所が少ないため、容器に収納された光学物品に容器外側から光を照射する際、光学物品に光が様々な角度から入射しやすい。
このため、容器に収納された光学物品が所定の向きに収納されていない場合、当該光学物品は他の光学物品とは異なった方向へ光を射出するのを確認しやすいので、収納作業の正誤判断が容易にできる。
【００１３】
［適用例２］
本適用例における光学物品の梱包容器は、前記保持部材が、平面視で楕円形に形成されていることが好ましい。
【００１４】
この構成の本適用例では、保持部材が、平面視で楕円形に形成されているので、光学物品と当接する箇所の保持部材が曲面となる。
このため、光学物品と保持部材との当接面積が小さくなり、光学物品の汚損のおそれをより一層少なくすることができる。
さらに、楕円形に形成されているので、円形に形成した場合に比べ、光学物品と保持部材の密度が高い。つまり、同じ大きさの容器を用いた場合に、保持部材が円形である場合に比べて、楕円形である場合の方が収納できる光学物品の数を多くすることができる。
よって、本適用例では、光学物品の収納効率を高めることができる。
【００１５】
［適用例３］
本適用例における光学物品の容器は、前記保持部材は、中空に形成されていることが好ましい。
【００１６】
この構成の本適用例では、保持部材が中空に形成されているので、保持部材が適度な弾性を有する。
このため、光学物品と当接する箇所が若干弾性変形した状態となり、光学物品に適度な当接圧を与えることができる。
よって、本適用例では、光学物品をより安定して保持固定することができる。
【００１７】
さらに、保持部材が適度な弾性を有しているので、光学物品を収納する際、万一、光学物品の角部と保持部材とが接触した場合でも、保持部材が弾性変形することにより、衝撃を吸収するので、光学物品の破損を防止することができる。
【００１８】
［適用例４］
本適用例における光学物品の容器は、前記トレイの外側線に平行な２つの方向に沿って設けられるそれぞれの保持部材が、異なる楕円率に形成されていることが好ましい。
【００１９】
この構成の本適用例では、保持部材が、異なる楕円率に形成されているので、保持部材の形状を目視するだけで、容器の向きを認識することができる。
このため、光学物品を収納する際に、容器の向きを間違えるおそれを少なくすることができる。
よって、本適用例では、光学物品の収納作業の正確性を高めることができる。
【００２０】
［適用例５］
本適用例における光学物品の容器は、前記トレイの外側線に平行な２つの方向に沿って設けられるそれぞれの前記保持部材が、異なる高さに形成されていることが好ましい。
【００２１】
この構成の本適用例では、保持部材が異なる高さに形成されているので、保持部材の形状を目視するだけで、容器の向きを認識することができる。
このため、光学物品を収納する際に、容器の向きを間違えるおそれを少なくすることができる。
さらに、保持部材の高さが異なるので、高さの低い保持部材が設けられている箇所に空隙を設けることができる。
このため、光学物品を容易に収納することがでるだけでなく、収納された光学物品をピンセット等により取り出す際、ピンセットを光学物品へと容易に接近させることができ、光学物品をピンセットで容易に挟持することができる。
よって、本適用例では、光学物品の取り出し作業を容易なものとすることができる。
【図面の簡単な説明】
【００２２】
【図１】第１実施形態におけるトレイにプリズムが収納された状態を表す梱包容器の斜視図。
【図２】（Ａ）第１実施形態におけるトレイにプリズムが収納された状態を表す平面図。（Ｂ）第１実施形態における蓋を表す平面図。
【図３】第１実施形態におけるトレイにプリズムが収納された状態を表す拡大断面図。
【図４】第１実施形態におけるトレイに収納されたプリズムがピンセットにより取り出される状態を表す拡大斜視図。
【図５】第２実施形態におけるトレイにプリズムが収納された状態を表す拡大斜視図。
【発明を実施するための形態】
【００２３】
第１実施形態を図１から図４に基づいて説明する。
図１は、第１実施形態におけるトレイにプリズムが収納された状態を表す梱包容器の斜視図である。図２（Ａ）は、第１実施形態におけるトレイにプリズムが収納された状態を表す平面図である。図２（Ｂ）は、第１実施形態における蓋を表す平面図である。
図１および図２に示すように、梱包容器１は、透光性部材のポリエチレンテレフタレート（ＰＥＴ）から形成されるトレイ１０と蓋２０とを備える。正方形状の部材であるトレイ１０は、外周部において厚み方向に幅広に形成された外周部としてのフランジ１１と、このフランジ１１に囲まれた平面部１２とを有している。
【００２４】
平面部１２には、光学物品としての立方体状のプリズムＰを保持固定するための保持部材としての楕円錐状の突起部１２１が一定間隔を空けて規則的に複数設けられている。
そして、平面部１２において対向する突起部１２１の外周円を結ぶ最短距離は、プリズムＰの一辺の長さ寸法より僅かに短い。この距離関係で突起部１２１は直交する２方向にかつ直線状に配列されている。
このため、プリズムＰは、隣り合う４つの突起部１２１が囲む空間に収納される際、平面部１２と４つの突起部１２１に当接することとなる。
さらに、これら突起部１２１は、直線状に配列される方向ごとに、楕円錐の楕円率が異なる。つまり、突起部１２１は、２種類の楕円率の台楕円円錐状に形成されている。
【００２５】
正方形の部材である蓋２０は、外周部において厚み方向に幅広に形成された外周部としての蓋フランジ２１と、この蓋フランジ２１に囲まれた蓋平面部２２とを有している。
蓋平面部２２には、蓋凸部２２１が、一定間隔を空けて規則的に複数設けられている。そして、この蓋凸部２２１は、トレイ１０と蓋２０とを重ね合わせた際に、プリズムＰの上方に位置する箇所に設けられている。
このため、蓋２０をトレイ１０に重ね合わせても蓋平面部２２が収容されるプリズムＰの上面の一部にしか当接することがない。
【００２６】
図３は、第１実施形態におけるトレイにプリズムが収納された状態を表す拡大断面図である。
図３に示すように、突起部１２１が楕円錐状に形成されているので、プリズムＰが突起部１２１の間に収納される場合、プリズムＰは、平面部１２と平面部１２近傍の突起部１２１とに当接するだけで、保持固定される。
また、突起部１２１が中空状に形成されているので、突起部１２１はプリズムＰと当接する平面部１２近傍において、プリズムＰの外力によって弾性変形している。
そして、この弾性変形による突起部１２１の復元力によりプリズムＰの当接箇所が圧力を受ける。
さらに、プリズムＰと当接する平面部１２には、凹部１２２が形成されており、凹部１２２においてプリズムＰが平面部１２と当接しないようになっている。
【００２７】
図４は、第１実施形態におけるトレイに収納されたプリズムがピンセットＡにより取り出される状態を表す拡大斜視図である。
図４に示すように、プリズムＰは、平面部１２と突起部１２１とに保持固定されている。このとき、プリズムＰは、その側面に対向する位置から突起部１２１に囲まれている。また、突起部１２１が楕円錐状であることから、プリズムＰの角部が突起部１２１に囲まれない。
このため、ピンセットＡを用いてプリズムＰを取り出す場合、プリズムＰの対角に位置する２つの角部にピンセットＡの先端をそれぞれ当接することで、プリズムＰを挟持できるようになっている。
【００２８】
以上の構成の第１実施形態では次の作用効果を奏することができる。
（１）第１実施形態では、トレイ１０にプリズムＰの４つの側面にそれぞれ対向する楕円錐状の突起部１２１を備えているので、プリズムＰの角部に突起部１２１が当接することがない。
このため、プリズムＰを収納する際、その角部が側壁を削ってしまう、あるいは、側壁が角部を削ってしまうおそれをなくすことができる。
また、プリズムＰの側面を突起部１２１の間に沿わせるだけでプリズムＰを収納することができるので、プリズムＰの角部と突起部１２１との位置関係を厳密に併せる必要がなく、収納作業を容易なものとすることができる。
【００２９】
（２）突起部１２１が、楕円錐状に形成されているので、プリズムＰと当接する箇所が曲面となる。
このため、プリズムＰと突起部１２１との当接面積を小さくすることができ、プリズムＰの汚損のおそれを少なくすることができる。
【００３０】
（３）突起部１２１は、楕円錐状に形成されているので、円錐状に形成した場合に比べ、プリズムＰと突起部１２１の密度が高くなる。
つまり、同じ大きさの梱包容器１を用いた場合に、突起部１２１が円錐形である場合に比べて、楕円錐形である場合の方が収納できるプリズムＰの数を多くすることができる。よって、プリズムＰの収納効率を高めることができる。
【００３１】
（４）プリズムＰの角部が突起部１２１と当接していないので、収納されたプリズムＰをピンセットＡにより取り出す際、プリズムＰの角部を挟持することができる。
このため、プリズムＰの平面部をピンセットＡで挟持することがなく、プリズムＰの汚損を防止することができる。
【００３２】
（５）突起部１２１がトレイ１０から離れる方向に向かって寸法が小さくなる楕円錐状に形成されている。
このため、立方体状のプリズムＰは、トレイ１０の近傍においては、突起部１２１と当接し、保持固定されるが、トレイ１０から離れた箇所においては、突起部１２１と当接しない。
つまり、プリズムＰは、平面部１２およびトレイ１０の近傍において突起部１２１と当接する箇所以外は、いずれにも当接することがない。
よって、僅かな当接箇所だけでプリズムＰを保持固定することができ、プリズムＰの汚損をより一層少なくすることができる。
【００３３】
（６）当接箇所が少ないため、梱包容器１に収納されたプリズムＰに梱包容器１外側から光を照射する際、プリズムＰに光が入射しやすい。
このため、梱包容器１に収納されたプリズムＰが所定の向きに収納されていない場合、当該プリズムＰは他のプリズムＰと異なった光を射出するので、収納作業の正誤判断が容易にできる。
【００３４】
（７）突起部１２１が中空に形成されているので、突起部１２１が適度な弾性を有する。
このため、プリズムＰを収納した際、プリズムＰと当接する箇所が若干弾性変形した状態となり、この弾性変形の復元力によりプリズムＰに適度な当接圧を与えることができる。よって、プリズムＰをより安定して保持固定することができる。
【００３５】
（８）突起部１２１が適度な弾性を有しているので、プリズムＰを収納する際、万一、プリズムＰの角部と突起部１２１とが接触した場合でも、突起部１２１が弾性変形することにより、衝撃を吸収するので、プリズムＰおよび突起部１２１の破損を防止することができる。
【００３６】
（９）突起部１２１が、直交する２方向ごとに、それぞれ異なる楕円率に形成されているので、突起部１２１の形状を目視するだけで、梱包容器１の向きを認識することができる。
このため、プリズムＰを収納する際に、梱包容器１の向きを間違えるおそれを少なくすることができる。よって、プリズムＰの収納作業の正確性を高めることができる。
【００３７】
次に、本発明の第２実施形態を図５に基づいて説明する。
図５は、第２実施形態におけるトレイにプリズムが収納された状態を表す拡大斜視図である。
第２実施形態は、第１実施形態とは、突起部１２１Ａの形状が異なるものであり、その他の構成は第１実施形態と同様である。
図５に示すように、第２実施形態では、突起部１２１Ａが楕円柱状に形成されており、これら突起部１２１Ａは、直線状に配列される方向ごとに、楕円柱の高さが異なっている。また、突起部１２１Ａは中空状に形成されている。
【００３８】
従って、第２実施形態では、第１実施形態の効果（１）〜（４），（６）〜（９）と同様な作用効果を奏することができる。さらに、以下のような作用効果を奏することができる。
【００３９】
（１０）第２実施形態では、突起部１２１Ａの高さが異なるので、高さの低い突起部１２１Ａが設けられている箇所に空隙を設けることができる。
このため、プリズムＰを容易に収納することがでるだけでなく、収納されたプリズムＰをピンセットＡにより取り出す際、ピンセットＡをプリズムＰへと容易に接近させることができ、プリズムＰをピンセットＡで容易に挟持することができる。
よって、プリズムＰの取り出し作業を容易なものとすることができる。
【００４０】
なお、本発明は前述の実施形態に限定されるものではなく、本発明の目的を達成できる範囲での変形、改良等は本発明に含まれるものである。
第１実施形態では、突起部１２１の楕円率を異なるものとしたが、これに限らず、例えば、同じ楕円率のものであっても、高さの異なるものでもよく、梱包容器１の向きが容易に認識できる構成であればいずれでもよい。
また、第２実施形態では、突起部１２１Ａを高さの異なる楕円柱としたが、これに限らず、楕円錐状のものとしてもよい。
【００４１】
プリズムＰの形状を立方体としたが、これに限らず、直方体等の形状であってもよい。この場合、プリズムＰの形状寸法に合わせて、突起部１２１，１２１Ａを配列させれば、同様の作用効果を奏することができる。
【００４２】
プリズムＰを梱包容器１から取り出す際、ピンセットＡを用いてプリズムＰの角部の２箇所を挟持するとしたが、これに限らず、例えば、プリズムＰの角部の４箇所を挟持するような器具を用いてもよく、プリズムＰの角部を挟持する構成であれば、いずれの器具を用いてもよい。
【産業上の利用可能性】
【００４３】
本発明は、プリズム、偏光変換素子、その他の光学物品の梱包容器に利用できる。
【符号の説明】
【００４４】
１…梱包容器、１０…トレイ、１２１…突起部（保持部材）、２０…蓋、Ｐ…プリズム（光学物品）
【図１】
2010215254.tif 000003
【図２】
2010215254.tif 000004
【図３】
2010215254.tif 000005
【図４】
2010215254.tif 000006
【図５】
2010215254.tif 000007